(57)【要約】      （修正有）【課題】放熱効果が高く、製造工程が簡易で、エネルギー消費量及び二酸化炭素の排出量の低減に寄与する光源が交換可能な一体型ランプを提供する。【解決手段】光源が交換可能な一体型ランプは、ランプホルダ２０、ＬＥＤ発光モジュール３０及びランプカバー４０を備える。ランプホルダ２０は、アルミニウム金属材料により一体成形され、底板２１を有し、底板２１の周縁には、周壁が上に向かって延設され、該周壁の自由端には、放熱部２３が外側に向かって径方向に延設され、底板２１上には、電気ソケットが設けられている。ＬＥＤ発光モジュール３０は、ランプホルダ２０の底板２１上に着脱自在に取り付けられ、アルミニウム金属材料からなる基板３１を有し、基板３１の上面には、複数のＬＥＤ及び回路駆動ユニットが配置された回路基板３２が嵌設されている。【選択図】図４
0003172035.tif 000002
【実用新案登録請求の範囲】
【請求項１】
ランプホルダ、ＬＥＤ発光モジュール及びランプカバーを備える光源が交換可能な一体型ランプであって、
前記ランプホルダは、アルミニウム金属材料により一体成形され、底板を有し、前記底板の周縁には、周壁が上方に向かって延設され、前記周壁の自由端には、放熱部が外側に向かって径方向に延設され、前記底板上には、電気ソケットが設けられ、
前記ＬＥＤ発光モジュールは、前記ランプホルダの前記底板上に着脱自在に取り付けられ、アルミニウム金属材料からなる基板を有し、前記基板の上面には、複数のＬＥＤ及び回路駆動ユニットが配置された回路基板が嵌設され、前記底板に対向した前記回路基板の底面には、前記基板に貫設され、前記電気ソケットに挿着される電気プラグが設けられ、
前記ランプカバーは、透明材料からなり、前記ランプホルダ上に取り付けられることを特徴とする光源が交換可能な一体型ランプ。
【請求項２】
前記ＬＥＤ発光モジュールは、螺着方式、係合方式又は磁気吸引方式により、前記ランプホルダの前記底板に取り付けられることを特徴とする請求項１に記載の光源が交換可能な一体型ランプ。
【請求項３】
前記電気ソケットは、同心円状の金属ソケットであり、内部に接点が設けられて無極性のソケットに形成され、
前記電気プラグは同心円状の金属端子であり、前記電気ソケットと３６０度電気的に接続されることを特徴とする請求項１に記載の光源が交換可能な一体型ランプ。
【請求項４】
前記ランプホルダを取り付ける収納槽が凹設され、鉄金属材料からなるランププレートをさらに備えることを特徴とする請求項１に記載の光源が交換可能な一体型ランプ。
【請求項５】
前記ＬＥＤ発光モジュール上に配置され、透明材料により一体成形され、前記ＬＥＤ発光モジュールと一緒に取り外すことが可能なように複数の凹部が側部に設けられたカバーをさらに備えることを特徴とする請求項１に記載の光源が交換可能な一体型ランプ。
【請求項６】
前記ランプカバー上には、前記ＬＥＤ発光モジュールの照射を受けて地面又は床に模様又は文字が投影されるパターン層が形成されることを特徴とする請求項１に記載の光源が交換可能な一体型ランプ。
【考案の詳細な説明】
【技術分野】
【０００１】
本考案は、光源が交換可能な一体型ランプに関する。
【背景技術】
【０００２】
近年、従来の蛍光灯及び電球形蛍光灯を代替するＬＥＤ（発光ダイオード）を用いたランプが主流となっている。ＬＥＤは、省エネルギー、低消費電力、高効率、高速反応、長寿命、水銀を含まず環境を汚染しないなどの特長を有し、照明ランプの消費電力が少ない。しかし、どのようなタイプのＬＥＤであっても、使用寿命及び信頼性は温度の影響を受け易い。ＬＥＤを発光源とするランプは、長時間使用した場合、ＬＥＤが高温となりやすいため、ＬＥＤの発光により生じた熱エネルギーを放出させることができない場合、ＬＥＤが高温となり、発光効率、安定性、使用寿命などに悪影響を及ぼし、温度が高いほど使用寿命が短くなる。また、ＬＥＤランプのなかで損壊し易い部分は、主に発光源部分であるＬＥＤモジュールだけであるため、ＬＥＤランプに、放熱フィン、放熱管などの放熱モジュールをさらに設けて放熱効果を高めることが一般的であるが、この方式を採用した場合、ＬＥＤランプの構造が複雑になったり、製造コストが高くなったり、組み立ての難易度が高くなったりする虞がある。
【考案の開示】
【考案が解決しようとする課題】
【０００３】
従って、本考案の課題は、放熱効果が高く、製造工程が簡易で、エネルギー消費量及び二酸化炭素の排出量の低減をすることができ、環境を汚染しないなどの長所を有する光源が交換可能な一体型ランプを提供することにある。
【課題を解決するための手段】
【０００４】
上記課題を解決するために、本考案の第１の形態によれば、
ランプホルダ、ＬＥＤ発光モジュール及びランプカバーを備える光源が交換可能な一体型ランプであって、
前記ランプホルダは、アルミニウム金属材料により一体成形され、底板を有し、前記底板の周縁には、周壁が上に向かって延設され、前記周壁の自由端には、放熱部が外側に向かって径方向に延設され、前記底板上には、電気ソケットが設けられ、
前記ＬＥＤ発光モジュールは、前記ランプホルダの前記底板上に着脱自在に取り付けられ、アルミニウム金属材料からなる基板を有し、前記基板の上面には、複数のＬＥＤ及び回路駆動ユニットが配置された回路基板が嵌設され、前記底板に対向した前記回路基板の底面には、前記基板に貫設され、前記電気ソケットに挿着される電気プラグが設けられ、
前記ランプカバーは、透明材料からなり、前記ランプホルダ上に取り付けられることを特徴とする光源が交換可能な一体型ランプが提供される。
【０００５】
前記ＬＥＤ発光モジュールは、螺着方式、係合方式又は磁気吸引方式により、前記ランプホルダの前記底板に取り付けられることが好ましい。
【０００６】
前記電気ソケットは、同心円状の金属ソケットであり、内部に接点が設けられて無極性のソケットに形成され、前記電気プラグは同心円状の金属端子であり、前記電気ソケットと３６０度電気的に接続されることが好ましい。
【０００７】
前記ランプホルダを取り付ける収納槽が凹設され、鉄金属材料からなるランププレートをさらに備えることが好ましい。
【０００８】
前記ＬＥＤ発光モジュール上に配置され、透明材料により一体成形され、前記ＬＥＤ発光モジュールと一緒に取り外すことが可能なように複数の凹部が側部に設けられたカバーをさらに備えることが好ましい。
【０００９】
前記ランプカバー上には、前記ＬＥＤ発光モジュールの照射を受けて地面又は床に模様又は文字が投影されるパターン層が形成されることが好ましい。
【考案の効果】
【００１０】
本考案の光源が交換可能な一体型ランプは、以下（１）〜（４）の長所を有する。
（１）本考案のＬＥＤ発光モジュールは、ランプホルダに密着されているため、ＬＥＤ発光モジュールから発生する熱エネルギーを、放熱し易いアルミニウム金属材料からなるランプホルダを介して外部に直接放出させるため、放熱効果が良好である。そのため、本考案は、その他の放熱装置をさらに取り付ける必要がなく、部材が少なく、組立コストを減らし、製造工程を簡易化させることができる。また、ランプホルダの表面には、光の反射効果を高めるために、研磨加工を施してもよい。
（２）本考案のランプは、電源部分の部材と光源部分の部材とが、磁気吸引ユニットにより吸着されているため、簡単に取り外して交換することができる。そのため、ランプは、故障し易い光源部分だけを交換し、故障し難い電源部分を交換する必要がないため、ユーザは、ランプ全体を廃棄したり交換したりせずに、損壊した部分のみを交換したり修理したりするだけでよい。これにより、不必要な消費を減らし、ゴミの量を大幅に減らして環境が汚染されることを防ぎ、消費エネルギーを減らすことができる。
（３）本考案のランプホルダにより放熱を行う技術手段は、筒型ランプ、シーリングライト、階段灯などに応用することができる以外に、従来の白熱電球にも応用することができる。
（４）本考案のランプホルダ及びランプカバーは交換可能であるため、ユーザは、内装の必要に応じて、適切な色、形状及び材料のランプホルダ及びランプカバーを選んで使用することができるため、ランプ機能だけでなく装飾機能も備えたものである。
【図面の簡単な説明】
【００１１】
【図１】本考案の第１実施形態による光源が交換可能な一体型ランプを示す斜視図である。
【図２】本考案の第１実施形態による光源が交換可能な一体型ランプを示す分解斜視図である。
【図３】本考案の第１実施形態による光源が交換可能な一体型ランプを示す分解斜視図である。
【図４】本考案の第１実施形態による光源が交換可能な一体型ランプを示す断面図である。
【図５】本考案の第２実施形態による光源が交換可能な一体型ランプを示す断面図である。
【図６】本考案の第３実施形態による光源が交換可能な一体型ランプを示す断面図である。
【図７】本考案の第４実施形態による光源が交換可能な一体型ランプを示す断面図である。
【考案を実施するための形態】
【００１２】
以下、本考案の実施形態について図面に基づいて説明する。なお、これによって本考案が限定されるものではない。
【００１３】
（第１実施形態）
図１〜図３を参照する。図１〜図３に示すように、本考案の第１実施形態による光源が交換可能な一体型ランプ１００は、少なくともランププレート１０、ランプホルダ２０、ＬＥＤ発光モジュール３０、ランプカバー４０及びカバー５０から構成される。
【００１４】
ランププレート１０は、鉄金属材料により一体成形された皿体であり、収納槽１１が凹設されている。収納槽１１の底部には、複数の締結孔１２が設けられている。ランププレート１０は、複数の締結部材（図示せず）により、天井板又は頂壁に螺設されている。
【００１５】
ランプホルダ２０は、放熱し易いアルミニウム金属材料により円盤状に一体成形され、ランププレート１０の収納槽１１内に取り付けられ、底板２１を有する。この底板２１の周縁には、周壁２２が延設されている。周壁２２の自由端には、放熱部２３が外側に向かって径方向に延設されている。この底板２１の中央部には、導線（図示せず）が接続され、商用電源と電気的に接続される電気ソケット２４が設けられている。底板２１の電気ソケット２４の周りには、複数の磁気吸引ユニット２５が配置されている。各磁気吸引ユニット２５には、強力磁石２５１が配置され、この強力磁石２５１により、ランププレート１０上にランプホルダ２０を吸着させる。第１実施形態の電気ソケット２４は、同心円状の金属ソケットであり、内部に接点が設けられ、無極性のソケットが形成されている。ランプホルダ２０の放熱部２３上には、複数の磁気吸引ユニット２５が環設されている。このランプホルダ２０の表面には、光の反射率を高めるために、研磨加工を施してもよい。
【００１６】
ＬＥＤ発光モジュール３０は、ランプホルダ２０の底板２１上に着脱自在に取り付けられ、アルミニウム金属材料からなる基板３１を有する。基板３１の表面（即ち、底板２１に対向した面と表裏の関係にある面）には、複数のＬＥＤ３２１及び回路駆動ユニット３２２が配置された回路基板３２が嵌設されている。回路基板３２の底面（即ち、底板２１に対向した面）には、基板３１に貫設された電気プラグ３２３が配置されている。基板３１の回路基板３２が嵌設される面と表裏の関係の面には、リング状鉄片３３及び放熱パッド３４が貼設されている。第１実施形態の電気プラグ３２３は、同心円状の金属端子であり、ランプホルダ２０の電気ソケット２４に挿着され、３６０度で電気的に接続されている。ＬＥＤ発光モジュール３０は、リング状鉄片３３とランプホルダ２０の強力磁石２５１とが磁気吸引され、ランプホルダ２０に吸着される。ＬＥＤ発光モジュール３０とランプホルダ２０との結合方式は、上述の磁気吸引を採用する以外に、螺設方式又は係合方式を採用してもよいが、本考案はこれらだけに限定されるわけではない。
【００１７】
ランプカバー４０は、透光性アクリル材料からなり、ランプホルダ２０の形状に対応した円形状の平面板体である。ランプカバー４０の表面には、床又は地面に模様又は文字を投影させるパターン層（図示せず）が形成されてもよい。ランプカバー４０の周縁には、ランプホルダ２０の放熱部２３上に、ランプカバー４０を吸着させるために用いる鉄金属リングフレーム４１が取り付けられている。
【００１８】
カバー５０は、透明材料により一体成形され、ＬＥＤ発光モジュール３０の頂面に固設されている。カバー５０の側部には、ランプホルダ２０からＬＥＤ発光モジュール３０及びカバー５０を一緒に取り外してメンテナンス又は交換が簡単に行えるように、複数の凹部５１が設けられている。
【００１９】
以下、本考案の使用方式を述べる。
【００２０】
図４を参照する。図４に示すように、本考案の第１実施形態による光源が交換可能な一体型ランプ１００は、シーリングライトである。まず、ランププレート１０を、屋内の天井板に固着してから、ランプホルダ２０、ＬＥＤ発光モジュール３０、ランプカバー４０などの部材を順次取り付ける。図４に示すように、光源が交換可能な一体型ランプ１００の部材は、互いに磁気吸引されて接続させることができるため、ユーザは、着脱を便利に行うことができる。ランプホルダ２０は、アルミニウム金属材料により一体成形され、ＬＥＤ発光モジュール３０が密着されているため、ＬＥＤ発光モジュール３０の発光により生じる熱は、基板３１及び放熱パッド３４を介してランプホルダ２０の底板２１及び放熱部２３に直接伝導されて外部に放出される。そのため、放熱フィン、放熱管などのその他の放熱モジュールを付加的に取り付ける必要はない。そのため、光源が交換可能な一体型ランプ１００の部材コスト及び組立コストを減らすことができる上、製造工程を簡易化することもできる。
【００２１】
さらに、本考案のランプホルダ２０上に、人体検知器、火災検知器、地震検知器などの検知器２６を配置することにより、本考案の付加価値を高めてもよい。
【００２２】
ＬＥＤ発光モジュール３０が故障した場合、このＬＥＤ発光モジュール３０が磁気吸引方式によりランプホルダ２０と結合されて位置決めされているため、ユーザは、ＬＥＤ発光モジュール３０と商用電源との電気的な接続を切るだけで、取り外して新しい物に簡単に交換することができる。つまり、光源が交換可能な一体型ランプ１００が損壊した場合でも、故障し易い光源部を交換するだけでよく、電源部（ＡＣ／ＤＣ電源変換回路及び定電流回路）を交換する必要がないため、ユーザは、損壊した部分のみを交換したり修理したりし、光源が交換可能な一体型ランプ１００全体を廃棄したり交換したりする必要がない。これにより、ユーザの不必要な消費が抑えられ、ゴミの量を減らすことができる。また、ユーザは、光の色、輝度、ワット数などの必要に応じてＬＥＤ発光モジュール３０を適宜選択して使用することができる。
【００２３】
（第２実施形態）
図５を参照する。図５に示すように、本考案の第２実施形態による光源が交換可能な一体型ランプ１００は、第１実施形態と略同じであるが、屋内の天井板２００上に固着される埋込型のランプである点が異なる。まず、天井板２００上の開口部２０１の周縁に、Ｕ字状鉄片２０２を取り付け、このＵ字状鉄片２０２に、ランプホルダ２０上の磁気吸引ユニット２５を吸着させ、天井板２００上にランプホルダ２０を直接吸着させるとともに、磁気吸引ユニット２５を利用し、ランプホルダ２０上にＬＥＤ発光モジュール３０及びランプカバー４０を順次取り付けて装着工程を完了する。ＬＥＤ発光モジュール３０の発光により生じる熱エネルギーは、ランプホルダ２０を介して外部に放出される。
【００２４】
（第３実施形態）
図６を参照する。図６に示すように、本考案の第３実施形態による光源が交換可能な一体型ランプ１００は、第１実施形態及び第２実施形態と略同じであるが、ＬＥＤ電球である点が異なる。このＬＥＤ電球は、ランプホルダ６０及びＬＥＤ発光モジュール７０を有する。ランプホルダ６０は、アルミニウム金属材料により一体成形され、一方の端部に口金６１が設けられ、他方の端部にアルミニウム金属材料からなる受板６２が、内側に向かって径方向に延設されている。受板６２上には、複数の磁気吸引ユニット６３及び電気ソケット６４が設けられている。ＬＥＤ発光モジュール７０は、磁気吸引ユニット６３の位置に対応するように底部に配置されたリング状鉄片７１により、ランプホルダ６０の受板６２に吸着され、電気ソケット６４の位置に対応するように底部に設けられた電気プラグ７２により、ランプホルダ６０の受板６２と電気的に接続される。ＬＥＤ発光モジュール７０から生じた熱は、リング状鉄片７１の内側に貼設された放熱パッド７３を介し、ランプホルダ６０から外部に放出される。
【００２５】
（第４実施形態）
図７を参照する。図７に示すように、本考案の第４実施形態による光源が交換可能な一体型ランプ１００は、第１実施形態〜第３実施形態と略同じであるが、ＬＥＤ蛍光灯である点が第１実施形態〜第３実施形態と異なる。このＬＥＤ蛍光灯は、ランプホルダ８０及びＬＥＤ発光モジュール９０を有する。ランプホルダ８０は、アルミニウム金属材料により一体成形され、底面上に複数の磁気吸引ユニット８１及び電気ソケット８２が設けられている。ＬＥＤ発光モジュール９０は、磁気吸引ユニット８１の位置に対応するように底部に配置されたリング状鉄片９１により、ランプホルダ８０に吸着され、電気ソケット８２の位置に対応するように底部に設けられた電気プラグ９２により、ランプホルダ８０と電気的に接続されている。ＬＥＤ発光モジュール９０から発生する熱は、底部に貼設された放熱パッド９３により、ランプホルダ８０から外部に放出される。
【００２６】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１０  ランププレート
１１  収納槽
１２  締結孔
２０  ランプホルダ
２１  底板
２２  周壁
２３  放熱部
２４  電気ソケット
２５  磁気吸引ユニット
２６  検知器
３０  ＬＥＤ発光モジュール
３１  基板
３２  回路基板
３３  リング状鉄片
３４  放熱パッド
４０  ランプカバー
４１  鉄金属リングフレーム
５０  カバー
５１  凹部
６０  ランプホルダ
６１  口金
６２  受板
６３  磁気吸引ユニット
６４  電気ソケット
７０  ＬＥＤ発光モジュール
７１  リング状鉄片
７２  電気プラグ
７３  放熱パッド
８０  ランプホルダ
８１  磁気吸引ユニット
８２  電気ソケット
９０  ＬＥＤ発光モジュール
９１  リング状鉄片
９２  電気プラグ
９３  放熱パッド
１００  光源が交換可能な一体型ランプ
２００  天井板
２０１  開口部
２０２  Ｕ字状鉄片
２５１  強力磁石
３２１  ＬＥＤ
３２２  回路駆動ユニット
３２３  電気プラグ
【図１】
0003172035.tif 000003
【図２】
0003172035.tif 000004
【図３】
0003172035.tif 000005
【図４】
0003172035.tif 000006
【図５】
0003172035.tif 000007
【図６】
0003172035.tif 000008
【図７】
0003172035.tif 000009